(57)【要約】      （修正有）【課題】構成が簡単であり、真空袋と底部支持板との結合が容易であり、運送や保存に便利な真空袋、及び真空袋と整理袋との組み合わせを提供する。【解決手段】真空袋は、袋本体１１及び袋開口部１２を有し、袋本体に脱気口１３と、袋開口部に位置するシーラーとが設置されている。前記袋本体の袋底部１１０の下側に中間層１１１を設け、袋底部と中間層により開口付きの収容空間が形成され、収容空間内に袋本体から脱落できる支持板４が挿入され、支持板が収容空間の開口から張り出し、張り出し段が折り畳み可能である。真空袋と整理袋とを組み合わせる場合は、前記袋体の外側に整理袋を設置したときに、その整理袋の大きさが袋底部の大きさに相当する様に形成する。【選択図】図１
0003169462.tif 000002
【実用新案登録請求の範囲】
【請求項１】
袋本体（11）及び袋開口部（12）を有し、袋本体（11）に脱気口（13）と、袋開口部（12）に位置するシーラー（14）とが設置されている真空袋において、  前記袋本体（11）の袋底部（110）の下側に中間層（111）を設け、袋底部（110）と中間層（111）により開口（31）付きの収容空間（3）が形成され、収容空間（3）内に袋本体（11）から脱落できる支持板（4）が挿入され、支持板が収容空間の開口から張り出し、張り出し段（41）が折り畳み可能であることを特徴とする真空袋。
【請求項２】
前記開口（31）を二箇所有し、両開口（31）がそれぞれ収容空間（3）の対向する両端に位置し、前記支持板の張り出し段（41）が二つであることを特徴とする請求項1に記載の真空袋。
【請求項３】
前記支持板（4）の中間段にも折り畳み可能である折り目（42）が設置されていることを特徴とする請求項1または2に記載の真空袋。
【請求項４】
前記支持板（4）が板紙であることを特徴とする請求項3に記載の真空袋。
【請求項５】
袋本体（11）及び袋開口部（12）を有し、袋本体（11）に脱気口（13）と、袋開口部（12）に位置するシーラー（14）とが設置され、前記袋本体（11）の袋底部（110）の下側に中間層（111）を設け、袋底部（110）と中間層（111）の間に開口（31）付きの収容空間（3）が形成され、収容空間（3）に袋本体（11）から脱落できる支持板（4）が挿入され、支持板が収容空間の開口から張り出し、張り出し段（41）が折り畳み可能であり、前記袋本体（11）の外側に整理袋（5）が設置され、その整理袋の大きさが袋底部（110）の大きさに相当していることを特徴とする真空袋と整理袋との組み合わせ装置。
【請求項６】
前記整理袋（5）が底板（51）及び4枚の縦板（52）からなる長方形袋体と、上蓋（53）とで構成され、前記支持板の張り出し段（41）は整理袋の縦板（52）に固定されていることを特徴とする請求項5に記載の真空袋と整理袋との組み合わせ装置。
【請求項７】
前記開口（31）を二つ有し、両開口（31）がそれぞれ収容空間（3）の対向する両端に位置し、前記支持板の張り出し段（41）が二つであることを特徴とする請求項6に記載の真空袋と整理袋との組み合わせ装置。
【請求項８】
前記整理袋の対向する両縦板（52）に二箇所の開口を有する三角形袋（54）が設置され、前記支持板両端の張り出し段（41）の両角が上記三角形袋に挿入し固定されていることを特徴とする請求項7に記載の真空袋と整理袋との組み合わせ装置。
【請求項９】
前記支持板（4）の中間段にも折り畳み可能である折り目（42）が設置されていることを特徴とする請求項7または8に記載の真空袋と整理袋との組み合わせ装置。
【請求項１０】
前記支持板（4）が板紙であることを特徴とする請求項9に記載の真空袋と整理袋との組み合わせ装置。
【考案の詳細な説明】
【技術分野】
【０００１】    本考案は、真空袋に関し、具体的には衣類を収納し、且つ運送や保存をしやすくするための真空袋に関する。また、本考案は真空袋と整理袋との組み合わせ装置に関する。
【背景技術】
【０００２】    現在、衣類を収納する市販の真空袋は有効的に衣類を防カビ、防湿気することができるが、従来の真空袋はプラスチックで作られ、製造後、運送や保存が必要である。上述のため、運搬において真空袋が衝突して破損しやすい。同時に、ユーザーが衣類の詰められている真空袋を移動したり携帯したりする時、従来の真空袋は必要な支持板を有しないので、置く時に不安定で傾倒しやすく、ユーザーは長時間手で押さえることが必要であり、ユーザーにとって不便である。
【考案の概要】
【考案が解決しようとする課題】
【０００３】    現在、底部に支持板を有し、プラスチック袋は直接支持板に溶着されている真空袋があるが、真空袋が軟質のプラスチックで作られ、支持板が硬質の板紙またはその他の材質の硬質板であるので、二種類の相違の材料及び相違の硬さの物質の間での溶着結合は難しく、プロセスが大変複雑であり、溶着結合がとても難しく、且つコストが高く、真空袋の破損率が高い。【０００４】  そこで、人々の生活に便利であるように、従来の真空袋の構成を改良することが必要である。【０００５】    本考案は、従来の真空袋と底部支持板との結合が困難である欠点を克服し、構成が簡単であり、真空袋と底部支持板との結合が容易で、運送や保存に便利な真空袋、及び真空袋と整理袋との組み合わせ装置を提供することを目的とする。
【課題を解決するための手段】
【０００６】    上述の技術問題を解決するため、本考案は下記の技術方案を採用する。【０００７】  袋本体及び袋開口部を有し、袋本体に脱気口と、袋開口部に位置するシーラーとが設置される真空袋において、前記袋本体の袋底部の下側に中間層を設け、袋底部と中間層との間に開口付きの収容空間が形成され、収容空間内に袋本体から脱落できる支持板が挿入され、支持板が収容空間の開口から張り出し、張り出し段が折り畳み可能であることを特徴とする真空袋。【０００８】  上述の如く、前記開口を二箇所有し、両開口がそれぞれ収容空間の対向する両端に位置し、前記支持板の張り出し段が二つである。【０００９】    上述の如く前記支持板の中間段にも折り畳み可能である折り目が設置されている。【００１０】    上述の如く支持板が板紙である。【００１１】    袋本体及び袋開口部を有し、袋本体に脱気口と、袋開口部に位置するシーラーとが設置され、前記袋本体の袋底部の下側に中間層を設け、袋底部と中間層との間に開口付きの収容空間が形成され、収容空間に袋本体から脱落できる支持板が挿入され、支持板が収容空間の開口から張り出し、張り出し段が折り畳み可能であり、前記袋本体の外側に整理袋が設置され、その整理袋の大きさが袋底部の大きさに相当していることを特徴とする真空袋と整理袋との組み合わせ装置。【００１２】  上述の如く、整理袋が底板及び4枚の縦板からなる長方形の袋本体と上蓋によって構成され、前記支持板の張り出し段は整理袋の縦板と固定されている。【００１３】    上述の如く、開口を二つ有し、両開口がそれぞれ収容空間の対向する両端に位置し、前記支持板の張り出し段が二つである。【００１４】  上述の如く整理袋の対向する両縦板に二箇所の開口を有する三角形の袋が設置され、前記支持板両端の張り出し段の両角が上記三角形の袋に挿入され固定されている。【００１５】  上述の如く、支持板の中間段にも折り畳み可能である折り目が設置されている。【００１６】  上述の如く支持板が板紙である。
【考案の効果】
【００１７】  本考案は、次に記載する効果を奏する。  1．真空袋の底部に中間層が設置され、構成が簡単であり、且つ実現するのが非常に容易であり、真空袋の底部で溶着するだけである。真空袋はプラスチックとプラスチックとの間での溶着であるので、生産プロセスが簡単であり、コストが低く、真空袋の破損率を低減した。支持板を中間層に挿入するだけで支持の役に立ち、支持板と真空袋の底部とを一体に溶着する必要がなくなり、従来の複雑なプロセスを省略した。【００１８】  2．真空袋の用途が増加する。従来の真空袋は底部が支持板と一体に結合され、分解できないほど密着し、一つの用途しかなかった。本考案の真空袋は中間層が設置されているが、支持板が挿入されていない時、普通の真空袋として使用できる。【００１９】  3．支持板は長方形の板紙であり、真空袋底部に設置されている中間層に挿入し、長方形の板紙と真空袋とを分離でき、同時に長方形の板紙は複数層に折り畳み可能である。【００２０】  4．長方形の板紙が袋本体の底部の収容空間に挿入された後、運送や保存する時に、支持板を折り畳んできちんと揃え、順番に置くことができ、同時に、折り畳んだ支持板が袋本体を被覆し、有効的に袋本体を保護する役割をになえ、袋本体に衣類が収納された後、支持板に支えられ、掛ける必要なく安定に置くことができ、使用するのに大変便利である。【００２１】  5．支持板の張り出し段が折り畳められ、整理袋の縦板と固定される時に、衣類が詰められると整理袋は整った形状を形成できる。折り畳められていない張り出し段である時、衣類が詰められると整理袋の縦板のところの中間段に凸起を形成し、見栄えが悪い。【００２２】  6．支持板の伸び出し段が袋本体底部の収容空間の開口から張り出し、真空袋が真空になる時に整理袋の縦板を動かして同時に内へ収縮させることがない。支持板の全体が袋本体の底部と結合する時、真空袋が真空になる時に袋内部の圧力が小さくなり、支持板が折り畳まれ整理袋縦板と固定され、支持板が整理袋縦板を動かして内部へ収縮させ、整理袋が凹んだ形状になり、見栄えは非常に悪い。【００２３】  7．板紙はコストが低く、生産加工するのに便利である。
【考案を実施するための形態】
【００２４】    次に附図と具体的な実施方式を併せて参照して本考案についてより詳細に説明する。
【００２５】    図1-4に示すように、真空袋は、袋本体11及び袋開口部12を有し、袋本体11に脱気口13と、袋開口12に位置するシーラー14とが設置され、シーラー14は相互に係合する左支持板141及び右支持板142を有し、左支持板141及び右支持板142にそれぞれ相互に配合できる凹溝143及び凸縁144が設置されている。脱気前に左支持板141と右支持板142を一体に重合させ、二枚の支持板に位置する凹溝143と凸条144とを相応に嵌合させる。    前記袋本体11の袋底部110の下側に中間層111が設置され、袋底部110と中間層111が開口31付きの収容空間3を形成し、収容空間3中に袋本体11から脱落できる支持板4が挿入され、支持板が収容空間の開口から張り出し、張り出し段41が折り畳み可能である。収容空間3の開口は一箇所でも可能であるが、そうすると支持板の張り出し段も一箇所である。前記開口31は二箇所でも可能であり、両開口31はそれぞれ収容空間3の対向する両端に位置する。前記支持板の伸び出し段は二つである。対向する両端にそれぞれ支持板4を挿入するための挿入口31が設置され、支持板4が挿入口31により収容空間3内の袋本体11に位置する袋底部110と中間層111との間に挿入されている。
【００２６】  本考案は、支持板4が長方形の板紙であり、支持板4の両伸び出し段に折り畳み可能である折り目42が設置され、置く時、支持板4の両伸び出し段を折り畳むことが可能であり、きちんと揃え、順番に置くことができ、使用しない時、長方形の板紙を袋本体11の内部から取り出せる。支持板4の中間段にも折り畳みのための折り目42が設置されている。運送や保存をする時に、支持板4を折り畳んで支持板に袋本体を被覆させ、有効的に袋本体11を保護する役割をになえる。その他に、袋本体11に衣類が収納された後、支持板4が支えて、掛ける必要なく、安定に置くことができ、袋本体11が勝手に転がることも避けられ、使用するのに大変便利である。
【００２７】    図5-6に示すように、真空袋と整理袋との組み合わせ装置は袋本体の外側に整理袋5が設置されている。この整理袋の大きさが袋底部110の大きさに相当し、好ましくは袋底部の中間層111の大きさに相当する。
【００２８】    前記整理袋5は底板51及び四枚の縦板52からなる長方形の袋本体と、上蓋53とで構成され、前記支持板の張り出し段41は整理袋の縦板52に固定し、整理袋を支持し、整理袋の形状を維持させる。
【００２９】    前記整理袋の対向する二枚の縦板52に二箇所の開口を有する三角形の袋54が設置され、前記支持板の両端の張り出し段41の両角は上述の三角形の袋に挿入され、固定されている。
【００３０】    使用する時、真空袋を整理袋に入れて置き、支持板の張り出し段と整理袋の縦板を対向的に固定し、衣類を真空袋に入れ、袋開口部のシーラーにより袋開口部を封じさせ、脱気口を通じて真空にし、整理袋の上蓋を閉じる。
【００３１】    整理袋に真空袋を確実に縛るための挿し具55及び挿入口56を設置してもよい。
【００３２】    整理袋の縦板に観察のための透明窓口57を設置してもよい。
【図面の簡単な説明】
【００３３】
【図１】図1は真空袋の袋本体と支持板とを分離した構成を示す概略図である。
【図２】図2は支持板が真空袋の袋本体に挿入されている構成を示す概略図である。
【図３】図3は図2のA-A断面図である。
【図４】図4は図2のB部の拡大図である。
【図５】図5は整理袋の構成を示す概略図である。
【図６】図6は真空袋の袋本体と整理袋と結合した構成を示す概略図である。
【図１】
0003169462.tif 000003
【図２】
0003169462.tif 000004
【図３】
0003169462.tif 000005
【図４】
0003169462.tif 000006
【図５】
0003169462.tif 000007
【図６】
0003169462.tif 000008